(57)【要約】  本開示の態様は、ワイヤレス通信におけるビームの管理について記載する。ビーム管理イベントのためのトリガ条件の出現を決定する際に測定するべき少なくとも１つのビームのタイプを示すビーム管理イベント構成が、受信され得る。１つまたは複数のノードから受信された信号のパラメータが測定されてよく、信号は、少なくとも１つのビームのタイプに対応する。ビーム管理イベントのためのトリガ条件の出現が、信号のパラメータに基づいて決定され得る。トリガ条件の出現の指示が、１つまたは複数のノードあるいは異なるノードに報告されてよい。
2020535757.tif 000002
【特許請求の範囲】
【請求項１】
ワイヤレス通信におけるビームを管理するための方法であって、
ビーム管理イベントのためのトリガ条件の出現を決定する際に測定するべき少なくとも１つのビームのタイプを示すビーム管理イベント構成を受信することと、
１つまたは複数のノードから受信された信号のパラメータを測定することと、ここにおいて、前記信号は、前記少なくとも１つのビームの前記タイプに対応する、
前記信号の前記パラメータに基づいて、前記ビーム管理イベントのための前記トリガ条件の前記出現を決定することと、
前記１つまたは複数のノードあるいは異なるノードに、前記トリガ条件の前記出現の指示を報告することとを備える方法。
【請求項２】
前記トリガ条件の前記出現の前記指示を報告したことに基づいて、前記１つもしくは複数のノードあるいは前記異なるノードと通信する際に、受信されたビームを使用するためのビーム構成を受信することをさらに備える、請求項１に記載の方法。
【請求項３】
前記トリガ条件の前記出現を決定すること、または前記トリガ条件の前記出現の前記指示を報告することのうちの少なくとも１つは、媒体アクセス制御（ＭＡＣ）レイヤ中で行われる、請求項１に記載の方法。
【請求項４】
前記トリガ条件の前記出現を決定すること、または前記トリガ条件の前記出現の前記指示を報告することのうちの少なくとも１つは、無線リソース制御（ＲＲＣ）レイヤ中で行われる、請求項１に記載の方法。
【請求項５】
前記ビーム管理イベント構成は、前記タイプを、測定するべきチャネル状態情報基準信号（ＣＳＩ−ＲＳ）および前記ＣＳＩ−ＲＳの識別子として示す、請求項１に記載の方法。
【請求項６】
前記ビーム管理イベント構成は、前記タイプを、測定するべき新無線同期信号（ＮＲ−ＳＳ）および前記ＮＲ−ＳＳの識別子として示す、請求項１に記載の方法。
【請求項７】
前記トリガ条件の前記出現の前記指示を報告したことに基づいて、前記１つもしくは複数のノードあるいは前記異なるノードと通信する際に、受信されたビームを使用するためのビーム構成を受信することをさらに備え、前記受信されたビームは、チャネル状態情報基準信号（ＣＳＩ−ＲＳ）に対応する、請求項６に記載の方法。
【請求項８】
前記ビーム管理イベント構成は、チャネル状態情報基準信号（ＣＳＩ−ＲＳ）として測定するべき第１のビームのタイプと、新無線同期信号（ＮＲ−ＳＳ）として測定するべき第２のビームの第２のタイプと、前記ＣＳＩ−ＲＳの識別子と、前記ＮＲ−ＳＳの識別子とを示す、請求項１に記載の方法。
【請求項９】
前記ビーム管理イベント構成は、２つ以上のチャネル状態情報基準信号（ＣＳＩ−ＲＳ）および／または新無線同期信号（ＮＲ−ＳＳ）を備えるビームのグループとしての前記タイプと、前記ビームグループの識別子とを示し、前記方法は、前記２つ以上のＣＳＩ−ＲＳおよび／またはＮＲ−ＳＳの識別子を決定することをさらに備え、前記信号の前記パラメータを測定することは、前記２つ以上のＣＳＩ−ＲＳおよび／またはＮＲ−ＳＳの前記識別子に対応する複数の信号のパラメータを測定することを備える、請求項１に記載の方法。
【請求項１０】
前記ビームの前記パラメータを測定することは、前記複数のビームの前記パラメータの平均を決定することを備える、請求項９に記載の方法。
【請求項１１】
前記ビームの前記パラメータを測定することは、前記複数のビームの前記パラメータの最大を決定することを備える、請求項９に記載の方法。
【請求項１２】
前記ビーム管理イベント構成は、基準信号受信電力（ＲＳＲＰ）、基準信号受信品質（ＲＳＲＱ）、または信号対干渉雑音比（ＳＩＮＲ）のうちの少なくとも１つに対応する前記パラメータのタイプを示す、請求項１に記載の方法。
【請求項１３】
前記信号の前記パラメータを測定することは、物理レイヤフィルタリング技法に基づいて実施される、請求項１２に記載の方法。
【請求項１４】
前記信号の前記パラメータを測定することは、無線リソース制御レイヤフィルタリング技法に基づいて実施される、請求項１２に記載の方法。
【請求項１５】
前記ビーム管理イベント構成は、前記トリガ条件について、前記指示を報告する前に前記トリガ条件が起こる時間を示す、請求項１に記載の方法。
【請求項１６】
前記トリガ条件の前記出現を決定することは、前記パラメータを閾値と比較することを備える、請求項１に記載の方法。
【請求項１７】
前記トリガ条件の前記出現を決定することは、前記パラメータと、基準として使われるべき異なる信号の類似のパラメータとの間のオフセットを比較して、前記オフセットが閾値に達するかどうかを決定することを備え、前記ビーム管理イベント構成は前記異なる信号を示す、請求項１に記載の方法。
【請求項１８】
前記トリガ条件の前記出現を決定することは、
前記パラメータを閾値と比較することと、
前記パラメータと、基準として使われるべき異なる信号の類似のパラメータとの間のオフセットを比較して、前記オフセットが第２の閾値に達するかどうかを決定することとを備える、請求項１に記載の方法。
【請求項１９】
前記指示を報告することは、前記指示を、アップリンク制御情報またはアップリンクデータとして共有データチャネルを介して送信することを備える、請求項１に記載の方法。
【請求項２０】
前記指示を報告することは、前記指示を、アップリンク制御情報としてアップリンク制御チャネルを介して送信することを備える、請求項１に記載の方法。
【請求項２１】
ワイヤレス通信におけるビームを管理するための方法であって、
ビーム管理イベントのためのトリガ条件の出現を決定する際に測定するべき少なくとも１つのビームのタイプを示すビーム管理イベント構成を生成することと、
前記ビーム管理イベント構成を１つまたは複数のノードへ送信することと、
前記１つまたは複数のノードから、前記トリガ条件の指示を受信することと、
前記１つまたは複数のノードのために、および前記トリガ条件の前記指示を受信したことに基づいて、送信されたチャネルを推定する際に１つまたは複数の送信されたビームを使用するためのビーム構成を生成することと、
前記ビーム構成を前記１つまたは複数のノードへ送信することとを備える方法。
【請求項２２】
前記ビーム管理イベント構成は、前記タイプを、測定するべきチャネル状態情報基準信号（ＣＳＩ−ＲＳ）および前記ＣＳＩ−ＲＳの識別子として示す、請求項２１に記載の方法。
【請求項２３】
前記ビーム管理イベント構成は、前記タイプを、測定するべき新無線同期信号（ＮＲ−ＳＳ）および前記ＮＲ−ＳＳの識別子として示す、請求項２１に記載の方法。
【請求項２４】
前記ビーム構成はチャネル状態情報基準信号（ＣＳＩ−ＲＳ）に対応する、請求項２３に記載の方法。
【請求項２５】
前記ビーム管理イベント構成は、チャネル状態情報基準信号（ＣＳＩ−ＲＳ）として測定するべき第１のビームのタイプと、新無線同期信号（ＮＲ−ＳＳ）として測定するべき第２のビームの第２のタイプと、前記ＣＳＩ−ＲＳの識別子と、前記ＮＲ−ＳＳの識別子とを示す、請求項２１に記載の方法。
【請求項２６】
前記ビーム管理イベント構成は、前記タイプを、２つ以上のチャネル状態情報基準信号（ＣＳＩ−ＲＳ）および／または新無線同期信号（ＮＲ−ＳＳ）を備えるビームのグループ、ならびに前記ビームグループの識別子として示す、請求項２１に記載の方法。
【請求項２７】
前記ビーム管理イベント構成は、基準信号受信電力（ＲＳＲＰ）、基準信号受信品質（ＲＳＲＱ）、または信号対干渉雑音比（ＳＩＮＲ）のうちの少なくとも１つに対応するパラメータのタイプを示す、請求項２１に記載の方法。
【請求項２８】
前記ビーム管理イベント構成は、前記トリガ条件について、前記１つまたは複数のノードが前記指示を報告する前に前記トリガ条件が起こる時間を示す、請求項２１に記載の方法。
【請求項２９】
前記指示を受信することは、共有データチャネルを介して、アップリンク制御情報またはアップリンクデータ中で前記指示を受信することを備える、請求項２１に記載の方法。
【請求項３０】
前記指示を受信することは、アップリンク制御チャネルを介して、アップリンク制御情報として前記指示を受信することを備える、請求項２１に記載の方法。
【請求項３１】
ワイヤレス通信におけるビームを管理するための装置であって、
１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサとを備え、前記１つまたは複数のプロセッサは、
ビーム管理イベントのためのトリガ条件の出現を決定する際に測定するべき少なくとも１つのビームのタイプを示すビーム管理イベント構成を受信することと、
１つまたは複数のノードから受信された信号のパラメータを測定することと、ここにおいて、前記信号は、前記少なくとも１つのビームの前記タイプに対応する、
前記信号の前記パラメータに基づいて、前記ビーム管理イベントのための前記トリガ条件の前記出現を決定することと、
前記１つまたは複数のノードあるいは異なるノードに、前記トリガ条件の前記出現の指示を報告することとを行うように構成される、装置。
【請求項３２】
前記１つまたは複数のプロセッサは、前記トリガ条件の前記出現の前記指示を報告したことに基づいて、前記１つもしくは複数のノードあるいは前記異なるノードと通信する際に、受信された信号を使用するためのビーム構成を受信するようにさらに構成される、請求項３１に記載の装置。
【請求項３３】
前記ビーム管理イベント構成は、前記タイプを、測定するべきチャネル状態情報基準信号（ＣＳＩ−ＲＳ）および前記ＣＳＩ−ＲＳの識別子として示す、請求項３１に記載の装置。
【請求項３４】
前記ビーム管理イベント構成は、前記タイプを、測定するべき新無線同期信号（ＮＲ−ＳＳ）および前記ＮＲ−ＳＳの識別子として示す、請求項３１に記載の装置。
【請求項３５】
前記ビーム管理イベント構成は、チャネル状態情報基準信号（ＣＳＩ−ＲＳ）として測定するべき第１のビームのタイプと、新無線同期信号（ＮＲ−ＳＳ）として測定するべき第２のビームの第２のタイプと、前記ＣＳＩ−ＲＳの識別子と、前記ＮＲ−ＳＳの識別子とを示す、請求項３１に記載の装置。
【請求項３６】
ワイヤレス通信におけるビームを管理するための装置であって、
１つまたは複数のアンテナを介して１つまたは複数のワイヤレス信号を通信するためのトランシーバと、
命令を記憶するように構成されたメモリと、
前記トランシーバおよび前記メモリと通信可能に結合された１つまたは複数のプロセッサとを備え、前記１つまたは複数のプロセッサは、
ビーム管理イベントのためのトリガ条件の出現を決定する際に測定するべき少なくとも１つのビームのタイプを示すビーム管理イベント構成を生成することと、
前記ビーム管理イベント構成を１つまたは複数のノードへ送信することと、
前記１つまたは複数のノードから、前記トリガ条件の指示を受信することと、
前記１つまたは複数のノードのために、および前記トリガ条件の前記指示を受信したことに基づいて、送信されたチャネルを推定する際に１つまたは複数の送信されたビームを使用するためのビーム構成を生成することと、
前記ビーム構成を前記１つまたは複数のノードへ送信することとを行うように構成される、装置。
【請求項３７】
前記ビーム管理イベント構成は、測定するべきチャネル状態情報基準信号（ＣＳＩ−ＲＳ）および前記ＣＳＩ−ＲＳの識別子として、または測定するべき新無線同期信号（ＮＲ−ＳＳ）および前記ＮＲ−ＳＳの識別子として、前記タイプを示す、請求項３６に記載の装置。
【請求項３８】
前記ビーム管理イベント構成は、前記タイプを、測定するべきチャネル状態情報基準信号（ＣＳＩ−ＲＳ）および前記ＣＳＩ−ＲＳの識別子として示す、請求項３６に記載の装置。
【請求項３９】
前記ビーム管理イベント構成は、前記タイプを、測定するべき新無線同期信号（ＮＲ−ＳＳ）および前記ＮＲ−ＳＳの識別子として示す、請求項３６に記載の装置。
【請求項４０】
ワイヤレス通信におけるビームを管理するための装置であって、
ビーム管理イベントのためのトリガ条件の出現を決定する際に測定するべき少なくとも１つのビームのタイプを示すビーム管理イベント構成を受信するための手段と、
１つまたは複数のノードから受信された信号のパラメータを測定するための手段と、ここにおいて、前記信号は、前記少なくとも１つのビームの前記タイプに対応する、
前記信号の前記パラメータに基づいて、前記ビーム管理イベントのための前記トリガ条件の前記出現を決定するための手段と、
前記１つまたは複数のノードあるいは異なるノードに、前記トリガ条件の前記出現の指示を報告するための手段とを備える装置。
【請求項４１】
前記トリガ条件の前記出現の前記指示を報告したことに基づいて、前記１つもしくは複数のノードあるいは前記異なるノードと通信する際に、受信された信号を使用するためのビーム構成を受信するための手段をさらに備える、請求項４０に記載の装置。
【請求項４２】
ワイヤレス通信におけるビームを管理するための装置であって、
ビーム管理イベントのためのトリガ条件の出現を決定する際に測定するべき少なくとも１つのビームのタイプを示すビーム管理イベント構成を生成するための手段と、
前記ビーム管理イベント構成を１つまたは複数のノードへ送信するための手段と、
前記１つまたは複数のノードから、前記トリガ条件の指示を受信するための手段と、
前記１つまたは複数のノードのために、および前記トリガ条件の前記指示を受信したことに基づいて、送信されたチャネルを推定する際に、１つまたは複数の送信されたビームを使用するためのビーム構成を生成するための手段と、
前記ビーム構成を前記１つまたは複数のノードへ送信するための手段とを備える装置。
【請求項４３】
前記ビーム管理イベント構成は、測定するべきチャネル状態情報基準信号（ＣＳＩ−ＲＳ）および前記ＣＳＩ−ＲＳの識別子として、または測定するべき新無線同期信号（ＮＲ−ＳＳ）および前記ＮＲ−ＳＳの識別子として、前記タイプを示す、請求項４２に記載の装置。
【請求項４４】
ワイヤレス通信におけるビームを管理するためのコンピュータ実行可能コードを備えるコンピュータ可読記憶媒体であって、前記コードは、
ビーム管理イベントのためのトリガ条件の出現を決定する際に測定するべき少なくとも１つのビームのタイプを示すビーム管理イベント構成を受信することと、
１つまたは複数のノードから受信された信号のパラメータを測定することと、ここにおいて、前記信号は、前記少なくとも１つのビームの前記タイプに対応する、
前記信号の前記パラメータに基づいて、前記ビーム管理イベントのための前記トリガ条件の前記出現を決定することと、
前記１つまたは複数のノードあるいは異なるノードに、前記トリガ条件の前記出現の指示を報告することとのためのコードを備える、コンピュータ可読記憶媒体。
【請求項４５】
前記コードは、前記トリガ条件の前記出現の前記指示を報告したことに基づいて、前記１つもしくは複数のノードあるいは前記異なるノードと通信する際に、受信されたビームを使用するためのビーム構成を受信するためのコードをさらに備える、請求項４４に記載のコンピュータ可読記憶媒体。
【請求項４６】
ワイヤレス通信におけるビームを管理するためのコンピュータ実行可能コードを備えるコンピュータ可読記憶媒体であって、前記コードは、
ビーム管理イベントのためのトリガ条件の出現を決定する際に測定するべき少なくとも１つのビームのタイプを示すビーム管理イベント構成を生成することと、
前記ビーム管理イベント構成を１つまたは複数のノードへ送信することと、
前記１つまたは複数のノードから、前記トリガ条件の指示を受信することと、
前記１つまたは複数のノードのために、および前記トリガ条件の前記指示を受信したことに基づいて、送信されたチャネルを推定する際に、１つまたは複数の送信されたビームを使用するためのビーム構成を生成することと、
前記ビーム構成を前記１つまたは複数のノードへ送信することとのためのコードを備える、コンピュータ可読記憶媒体。
【請求項４７】
前記ビーム管理イベント構成は、測定するべきチャネル状態情報基準信号（ＣＳＩ−ＲＳ）および前記ＣＳＩ−ＲＳの識別子として、または測定するべき新無線同期信号（ＮＲ−ＳＳ）および前記ＮＲ−ＳＳの識別子として、前記タイプを示す、請求項４６に記載のコンピュータ可読記憶媒体。
【発明の詳細な説明】
【技術分野】
【０００１】
優先権の主張
[0001]本特許出願は、本出願の譲受人に譲渡され、参照により本明細書に明確に組み込まれる、２０１７年９月２９日に出願された「ＴＥＣＨＮＩＱＵＥＳ  ＦＯＲ  ＢＥＡＭ  ＭＡＮＡＧＥＭＥＮＴ  ＩＮ  ＷＩＲＥＬＥＳＳ  ＣＯＭＭＵＮＩＣＡＴＩＯＮＳ」と題する国際特許出願第ＰＣＴ／ＣＮ２０１７／１０４２５７号の優先権を主張する。
【０００２】
[0002]本開示の態様は、概してワイヤレス通信システムに関し、より詳細には、ビーム送信の管理に関する。
【背景技術】
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびシングルキャリア周波数分割多元接続（ＳＣ−ＦＤＭＡ）システムが含まれる。
【０００４】
[0004]これらの多元接続技術は、異なるワイヤレスデバイスが都市、国家、地域、さらには地球規模で通信することを可能にする共通プロトコルを提供するために、様々な電気通信規格において採用されている。たとえば、（５Ｇ新無線（５Ｇ  ＮＲ）と呼ばれることがある）第５世代（５Ｇ）ワイヤレス通信技術は、現行のモバイルネットワーク世代に対して多様な使用シナリオおよび用途を拡張しサポートするものと想定される。一態様では、５Ｇ通信技術は、マルチメディアコンテンツ、サービスおよびデータにアクセスするための人間中心の使用事例に対処する拡張モバイルブロードバンドと、レイテンシおよび信頼性についてのいくつかの仕様を有する超高信頼低レイテンシ通信（ＵＲＬＬＣ）と、非常に多数の被接続デバイスおよび比較的少量の遅延に影響されない情報の送信を可能にすることができるマッシブマシンタイプ通信とを含むことができる。しかしながら、モバイルブロードバンドアクセスに対する需要が増加し続けるにつれて、５Ｇ通信技術以降におけるさらなる向上が望まれてよい。
【０００５】
[0005]ネットワークは、チャネルを推定および／またはチャネル品質をネットワークに報告する際に使用するためのチャネル状態情報基準信号（ＣＳＩ−ＲＳ）を用いてユーザ機器（ＵＥ）を構成することができる。現在、５Ｇ  ＮＲでは、ネットワークは、望ましいビームフォーミングをＵＥに提供するために、異なるビームを使って、複数のＣＳＩ−ＲＳセットを送信してよい。この点において、ネットワークは、すべての可能ＣＳＩ−ＲＳリソースをＵＥ用に構成し、対応するＣＳＩ−ＲＳに関する、ＵＥからのレイヤ１報告に基づいて、１つを所与のＵＥ用にアクティブ化する（たとえば、最も望ましい信号強度および／または品質を有するもの）。ＵＥに、各構成向けのすべてのＣＳＩ−ＲＳを受信させ、測定させると、ＵＥ上で不当なオーバーヘッドを引き起こす場合がある。さらに、いくつかの構成では、５Ｇ  ＮＲは、所与のｇＮＢ用に複数の送信／受信ポイント（ＴＲｘＰ）を可能にすることができ、これらは各々、異なるビームフォーミング構成において複数のＣＳＩ−ＲＳを送信することができ、これが、様々なＣＳＩ−ＲＳについての品質メトリックを受信し、報告するＵＥにおけるオーバーヘッドをさらに引き起こし得る。
【発明の概要】
【０００６】
[0006]以下では、１つまたは複数の態様の基本的理解を与えるために、そのような態様の簡略化された概要を提示する。この概要は、すべての企図された態様の包括的な概観ではなく、すべての態様の主要なまたは重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
[0007]ある例によると、ワイヤレス通信におけるビームを管理するための方法が提供される。この方法は、ビーム管理イベントのためのトリガ条件の出現を決定する際に測定するべき少なくとも１つのビームのタイプを示すビーム管理イベント構成を受信することと、１つまたは複数のノードから受信された信号のパラメータを測定することと、ここで、信号は、少なくとも１つのビームのタイプに対応する、信号のパラメータに基づいて、ビーム管理イベントのためのトリガ条件の出現を決定することと、１つまたは複数のノードあるいは異なるノードに、トリガ条件の出現の指示を報告することとを含む。
【０００８】
[0008]別の例では、ワイヤレス通信におけるビームを管理するための方法が提供される。この方法は、ビーム管理イベントのためのトリガ条件の出現を決定する際に測定するべき少なくとも１つのビームのタイプを示すビーム管理イベント構成を生成することと、ビーム管理イベント構成を１つまたは複数のノードへ送信することと、１つまたは複数のノードから、トリガ条件の指示を受信することと、１つまたは複数のノードのために、およびトリガ条件の指示を受信したことに基づいて、送信されたチャネルを推定する際に１つまたは複数の送信されたビームを使用するためのビーム構成を生成することと、ビーム構成を１つまたは複数のノードへ送信することとを含む。
【０００９】
[0009]別の例では、ワイヤレス通信におけるビームを管理するための装置が提供される。この装置は、１つまたは複数のアンテナを介して１つまたは複数のワイヤレス信号を通信するためのトランシーバと、命令を記憶するように構成されたメモリと、トランシーバおよびメモリと通信可能に結合された１つまたは複数のプロセッサとを含む。１つまたは複数のプロセッサは、ビーム管理イベントのためのトリガ条件の出現を決定する際に測定するべき少なくとも１つのビームのタイプを示すビーム管理イベント構成を受信することと、１つまたは複数のノードから受信された信号のパラメータを測定することと、ここで、信号は、少なくとも１つのビームのタイプに対応する、信号のパラメータに基づいて、ビーム管理イベントのためのトリガ条件の出現を決定することと、１つまたは複数のノードあるいは異なるノードに、トリガ条件の出現の指示を報告することとを行うように構成される。
【００１０】
[0010]別の例では、ワイヤレス通信におけるビームを管理するための装置が提供される。この装置は、１つまたは複数のアンテナを介して１つまたは複数のワイヤレス信号を通信するためのトランシーバと、命令を記憶するように構成されたメモリと、トランシーバおよびメモリと通信可能に結合された１つまたは複数のプロセッサとを含む。１つまたは複数のプロセッサは、ビーム管理イベントのためのトリガ条件の出現を決定する際に測定するべき少なくとも１つのビームのタイプを示すビーム管理イベント構成を生成することと、ビーム管理イベント構成を１つまたは複数のノードへ送信することと、１つまたは複数のノードから、トリガ条件の指示を受信することと、１つまたは複数のノードのために、およびトリガ条件の指示を受信したことに基づいて、送信されたチャネルを推定する際に１つまたは複数の送信されたビームを使用するためのビーム構成を生成することと、ビーム構成を１つまたは複数のノードへ送信することとを行うように構成される。
【００１１】
[0011]別の例では、ワイヤレス通信におけるビームを管理するための装置が提供される。この装置は、ビーム管理イベントのためのトリガ条件の出現を決定する際に測定するべき少なくとも１つのビームのタイプを示すビーム管理イベント構成を受信するための手段と、１つまたは複数のノードから受信された信号のパラメータを測定するための手段と、ここにおいて、信号は、少なくとも１つのビームのタイプに対応する、信号のパラメータに基づいて、ビーム管理イベントのためのトリガ条件の出現を決定するための手段と、１つまたは複数のノードあるいは異なるノードに、トリガ条件の出現の指示を報告するための手段とを含む。
【００１２】
[0012]さらなる態様では、ワイヤレス通信におけるビームを管理するための装置が提供される。この装置は、ビーム管理イベントのためのトリガ条件の出現を決定する際に測定するべき少なくとも１つのビームのタイプを示すビーム管理イベント構成を生成するための手段と、ビーム管理イベント構成を１つまたは複数のノードへ送信するための手段と、１つまたは複数のノードから、トリガ条件の指示を受信するための手段と、１つまたは複数のノードのために、およびトリガ条件の指示を受信したことに基づいて、送信されたチャネルを推定する際に１つまたは複数の送信されたビームを使用するためのビーム構成を生成するための手段と、ビーム構成を１つまたは複数のノードへ送信するための手段とを含む。
【００１３】
[0013]さらなる態様では、ワイヤレス通信におけるビームを管理するためのコンピュータ実行可能コードを含むコンピュータ可読記憶媒体が提供される。コードは、ビーム管理イベントのためのトリガ条件の出現を決定する際に測定するべき少なくとも１つのビームのタイプを示すビーム管理イベント構成を受信することと、１つまたは複数のノードから受信された信号のパラメータを測定することと、ここにおいて、信号は、少なくとも１つのビームのタイプに対応する、信号のパラメータに基づいて、ビーム管理イベントのためのトリガ条件の出現を決定することと、１つまたは複数のノードあるいは異なるノードに、トリガ条件の出現の指示を報告することとのためのコードを含む。
【００１４】
[0014]別の態様では、ワイヤレス通信におけるビームを管理するためのコンピュータ実行可能コードを含むコンピュータ可読記憶媒体が提供される。コードは、ビーム管理イベントのためのトリガ条件の出現を決定する際に測定するべき少なくとも１つのビームのタイプを示すビーム管理イベント構成を生成することと、ビーム管理イベント構成を１つまたは複数のノードへ送信することと、１つまたは複数のノードから、トリガ条件の指示を受信することと、１つまたは複数のノードのために、およびトリガ条件の指示を受信したことに基づいて、送信されたチャネルを推定する際に１つまたは複数の送信されたビームを使用するためのビーム構成を生成することと、ビーム構成を１つまたは複数のノードへ送信することとのためのコードを含む。
【００１５】
[0015]上記の目的および関係する目的を達成するために、１つまたは複数の態様は、以下で十分に記載され、特に特許請求の範囲で指摘される特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１６】
[0016]添付の図面とともに以下に説明する開示する態様は、開示する態様を限定するためではなく、開示する態様を例示するために与えられ、同様の表示は同様の要素を示す。
【図面の簡単な説明】
【００１７】
【図１】[0017]本開示の様々な態様による、ワイヤレス通信システムの例を示す図。
【図２】[0018]本開示の様々な態様による、基地局の例を示すブロック図。
【図３】[0019]本開示の様々な態様による、ＵＥの例を示すブロック図。
【図４】[0020]本開示の様々な態様による、ビーム管理イベント構成を生成するための方法の例を示すフローチャート。
【図５】[0021]本開示の様々な態様による、ビーム管理イベントを検出するための方法の例を示すフローチャート。
【図６】[0022]本開示の様々な態様による、ビーム管理イベントを検出し、報告するためのシステムの例を示す図。
【図７】[0023]本開示の様々な態様による、基地局とＵＥとを含むＭＩＭＯ通信システムの例を示すブロック図。
【発明を実施するための形態】
【００１８】
[0024]次に、図面を参照して様々な態様が記載される。以下の説明では、説明の目的で、１つまたは複数の態様の完全な理解を与えるために多数の具体的な詳細が記載される。しかしながら、そのような態様は、これらの具体的な詳細なしに実践され得ることが明らかであろう。
【００１９】
[0025]記載される特徴は概して、ネットワーク中の１つまたは複数のノードによる１つまたは複数の条件の報告を引き起こすようにビーム管理イベントを構成することに少なくとも部分的に基づいて、ワイヤレス通信におけるビーム管理を構成することに関する。１つまたは複数の条件を報告すると、ビーム（たとえば、基準信号（ＲＳ）、同期信号（ＳＳ）、他のブロードキャスト信号／ビームなど）を１つまたは複数のノードのために再構成することになり得る。たとえば、ネットワークは、ある特定のタイプのビーム、識別子によって識別されるビームのいくつかのインスタンス、グループ識別子に関連付けられたビームのいくつかのグループ、などに対応するビーム管理イベントを構成することができ、１つまたは複数のノードはしたがって、ネットワークによってビームフォーミングされているビーム信号を測定して、ビーム管理イベントが起きたかどうかを決定することができる。１つまたは複数のノードは、ビーム管理イベントをネットワークに報告することができる（たとえば、１つまたは複数のビーム管理イベントが起きている場合）。一例では、ネットワークはしたがって、ビーム管理イベントの出現および／または関連パラメータ（たとえば、ビームの信号測定）に基づいて、１つまたは複数のノード用のビーム構成を決定することができる。
【００２０】
[0026]具体例では、ネットワークは（たとえば、ｇＮＢまたは他のネットワークノードを介して）、ビームフォーミングされた信号を送信することができ、これらの信号は、チャネル状態情報基準信号（ＣＳＩ−ＲＳ）などの、１つまたは複数のタイプのビーム、新無線同期信号（ＮＲ−ＳＳ）などの、１つまたは複数の同期信号、他のブロードキャスト信号などを含み得る。ネットワークは、少なくとも、１つまたは複数のネットワークノードへ構成を通信することによって、ビーム管理イベントを構成することができ、ここで、構成は、測定するべき１つまたは複数のビームフォーミングされた信号の識別子（たとえば、１つまたは複数のＣＳＩ−ＲＳ識別子、ＮＲ−ＳＳ識別子、１つまたは複数のＣＳＩ−ＲＳまたはＮＲ−ＳＳにマッピングされているグループ識別子、など）を示し得る。１つまたは複数のノードはしたがって、関連付けられた識別子を有する信号を決定したことに基づいて、ネットワークによって送信された、構成されたＲＳを測定することができる。１つまたは複数のノードは、信号強度、信号品質、信号対干渉雑音比（ＳＩＮＲ）などを測定することができる。ある例では、測定するためのメトリックは、ビーム管理イベント構成においても示され得る。ビーム管理イベント構成は、イベントの指示を報告する前にビーム管理イベントが起こる時間期間を示す、トリガ時間も示し得る。トリガ時間は、構成における各メトリック、構成における、各指定されるビームタイプなどに対して指定されてよい。いずれの場合にも、たとえば、１つまたは複数のノードは、（たとえば、関連付けられたトリガ時間の後で）指定されたビーム管理イベントの出現の指示をネットワークに報告することができ、および／またはネットワークはしたがって、ビーム管理イベントにおいて示されるメトリックに基づいて、ビーム構成（たとえば、具体的には、ＣＳＩ−ＲＳ構成、もしくは他のタイプのビームを含むより一般的なビーム構成）を修正することができる。
【００２１】
[0027]ある例では、無線リソース制御（ＲＲＣ）関与を伴わないビーム管理および／または移動性が、第５世代（５Ｇ）新無線（ＮＲ）ネットワークにおいて実施され得る。ビーム管理は概して、ダウンリンク（ＤＬ）および／またはアップリンク（ＵＬ）送信／受信に使われ得る送信／受信ポイント（ＴＲｘＰ）および／またはＵＥビームのセットを獲得し、維持するために、レイヤ１（Ｌ１）／レイヤ２（Ｌ２）手順のセットを参照すればよく、手順のセットは、ビーム決定（たとえば、ＴＲｘＰもしくはＵＥがそれ自体のＴｘ／Ｒｘビームを選択するため）、ビーム測定（たとえば、ＴＲｘＰもしくはＵＥが、受信された、ビームフォーミングされた信号の特性を測定するため）、および／またはビーム報告（たとえば、ＵＥが、ビーム測定に基づいて、ビームフォーミングされた信号の情報を報告するため）という態様うちの１つまたは複数を含み得る。ＲＲＣ／無線リソース管理（ＲＲＭ）は、一定の時間における送信のために、どのビームが実際に使われているかを知ることを要求されなくてよく、「ゼロ／最小ＲＲＣ関与」における「ビーム切替え手順」はＲＲＣ／ＲＲＭに対して透明であってよい。ＮＲ−ＳＳおよび／またはＣＳＩ−ＲＳは、本明細書においてさらに記載されるように、ビーム管理に使われ得る。これらの例では、ＵＥは、ＮＲ−ＳＳおよび／またはＣＳＩ−ＲＳの測定を、受信された構成に基づいて、ネットワークへ送信すればよい。
【００２２】
[0028]図１〜図７を参照して、記載される特徴が以下でより詳細に提示される。
【００２３】
[0029]本出願で使用される「構成要素」、「モジュール」、「システム」などの用語は、限定はしないが、ハードウェア、ファームウェア、ハードウェアとソフトウェアの組合せ、ソフトウェア、または実行中のソフトウェアなどの、コンピュータ関連エンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で稼働しているアプリケーションと、そのコンピューティングデバイスの両方が構成要素であり得る。１つまたは複数の構成要素がプロセスおよび／または実行スレッド内に存在することができ、１つの構成要素が１つのコンピュータ上に配置され得、および／または２つ以上のコンピュータ間に分散され得る。加えて、これらの構成要素は、様々なデータ構造を記憶している様々なコンピュータ可読媒体から実行することができる。構成要素は、ローカルシステム内の別の構成要素、分散型システムと、および／またはインターネットなどのネットワークにわたって、信号を介して他のシステムと対話する１つの構成要素からのデータなどの、１つまたは複数のデータパケットを有する信号などにより、ローカルプロセスおよび／またはリモートプロセスを介して通信することができる。
【００２４】
[0030]本明細書に記載される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用されてよい。「システム」および「ネットワーク」という用語は、しばしば互換的に使用される場合がある。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載される技法は、共有無線周波数スペクトル帯域上のセルラー（たとえば、ＬＴＥ）通信を含む、上述されたシステムおよび無線技術、ならびに他のシステムおよび無線技術のために使用され得る。しかしながら、以下の説明は例としてＬＴＥ／ＬＴＥ−Ａシステムを記載し、以下の説明の大部分においてＬＴＥ用語が使用されるが、本技法はＬＴＥ／ＬＴＥ−Ａの用途以外に（たとえば、５Ｇネットワークまたは他の次世代通信システムに）適用可能である。
【００２５】
[0031]以下の説明は、例を与えるものであり、特許請求の範囲に記載される範囲、適用性、または例を限定するものではない。本開示の範囲から逸脱することなく、説明される要素の機能および構成において変更が行われてよい。様々な例は、必要に応じて、様々な手順または構成要素を省略、置換、または追加することができる。たとえば、説明される方法は、説明されるのとは異なる順序で実施されてよく、様々なステップが追加、省略、または組み合わされてよい。また、いくつかの例に関して記載される特徴は、他の例において組み合わされてよい。
【００２６】
[0032]いくつかのデバイス、構成要素、モジュールなどを含むことができるシステムに関して、様々な態様または特徴が提示される。様々なシステムは、追加のデバイス、構成要素、モジュールなどを含むことができ、および／または図に関して説明されるデバイス、構成要素、モジュールなどのすべてを含まなくてもよいことを理解および諒解されたい。これらの手法の組合せも使用され得る。
【００２７】
[0033]図１は、本開示の様々な態様による、ワイヤレス通信システム１００の例を示す。ワイヤレス通信システム１００は、１つまたは複数の基地局１０５と、１つまたは複数のＵＥ１１５と、コアネットワーク１３０とを含んでよい。コアネットワーク１３０は、ユーザ認証と、アクセス認可と、トラッキングと、インターネットプロトコル（ＩＰ）接続と、他のアクセス機能、ルーティング機能、またはモビリティ機能とを提供することができる。基地局１０５は、バックホールリンク１３２（たとえば、Ｓ１など）を通してコアネットワーク１３０とインターフェースし得る。基地局１０５は、ＵＥ１１５との通信用の無線構成およびスケジューリングを実施することができるか、または基地局コントローラ（図示せず）の制御下で動作することができる。様々な例では、基地局１０５は、ワイヤードまたはワイヤレス通信リンクであり得るバックホールリンク１３４（たとえば、Ｘ２など）を介して、直接的または間接的のいずれかで（たとえば、コアネットワーク１３０を通して）、互いに通信し得る。
【００２８】
[0034]基地局１０５は、１つまたは複数の基地局アンテナを介してＵＥ１１５とワイヤレスに通信することができる。基地局１０５の各々は、それぞれの地理的カバレージエリア１１０に通信カバレージを提供することができる。いくつかの例では、基地局１０５は、ネットワークエンティティ、基地トランシーバ局、無線基地局、アクセスポイント、無線トランシーバ、ノードＢ、ｅノードＢ（ｅＮＢ）、ホームノードＢ、ホームｅノードＢ、またはいくつかの他の適切な用語で呼ばれる場合がある。基地局１０５のための地理的カバレージエリア１１０は、カバレージエリアの一部分のみを構成するセクタに分割されてよい（図示せず）。ワイヤレス通信システム１００は、異なるタイプの基地局１０５（たとえば、マクロセル基地局またはスモールセル基地局）を含んでよい。異なる技術のための重複する地理的カバレージエリア１１０があり得る。
【００２９】
[0035]いくつかの例では、ワイヤレス通信システム１００は、ロングタームエボリューション（ＬＴＥ）またはＬＴＥアドバンスト（ＬＴＥ−Ａ）ネットワークであってよいか、またはそれを含んでよい。ワイヤレス通信システム１００はまた、５Ｇワイヤレス通信ネットワークなどの次世代ネットワークであってよい。ＬＴＥ／ＬＴＥ−Ａネットワークでは、発展型ノードＢ（ｅＮＢ）、ｇＮＢなどという用語は、一般に、基地局１０５を記載するために使用されてよく、ＵＥという用語は、一般に、ＵＥ１１５を記載するために使用されてよい。ワイヤレス通信システム１００は、異なるタイプのｅＮＢが様々な地理的領域にカバレージを提供する、異種ＬＴＥ／ＬＴＥ−Ａネットワークであってよい。たとえば、各ｅＮＢまたは基地局１０５は、マクロセル、スモールセル、または他のタイプのセルに通信カバレージを提供することができる。「セル」という用語は、状況に応じて、基地局、基地局に関連するキャリアもしくはコンポーネントキャリア、またはキャリアもしくは基地局のカバレージエリア（たとえば、セクタなど）を記述するために使用され得る３ＧＰＰ用語である。
【００３０】
[0036]マクロセルは、比較的大きい地理的エリア（たとえば、半径数キロメートル）をカバーすることができ、ネットワークプロバイダのサービスに加入しているＵＥ１１５による無制限アクセスを可能にすることができる。
【００３１】
[0037]スモールセルは、マクロセルと比較して、マクロセルと同じかまたは異なる（たとえば、認可、無認可などの）周波数帯域内で動作することができる低電力基地局を含んでよい。スモールセルは、様々な例によれば、ピコセル、フェムトセル、およびマイクロセルを含んでよい。ピコセルは、たとえば、小さい地理的エリアをカバーすることができ、ネットワークプロバイダのサービスに加入しているＵＥ１１５による無制限アクセスを可能にすることができる。フェムトセルも、小さい地理的エリア（たとえば、自宅）をカバーすることができ、フェムトセルとの関連を有するＵＥ１１５（たとえば、限定加入者グループ（ＣＳＧ）内のＵＥ１１５、自宅内のユーザのためのＵＥ１１５など）による制限付きアクセスを実現することができる。マクロセルのためのｅＮＢは、マクロｅＮＢ、ｇＮＢなどと呼ばれる場合がある。スモールセルのためのｅＮＢは、スモールセルｅＮＢ、ピコｅＮＢ、フェムトｅＮＢ、またはホームｅＮＢと呼ばれる場合がある。ｅＮＢは、１つまたは複数（たとえば、２つ、３つ、４つなど）のセル（たとえば、コンポーネントキャリア）をサポートする場合がある。
【００３２】
[0038]様々な開示された例のうちのいくつかに適応することができる通信ネットワークは、階層化プロトコルスタックに従って動作するパケットベースネットワークであってよく、ユーザプレーン内のデータはＩＰに基づいてよい。パケットデータコンバージェンスプロトコル（ＰＤＣＰ）レイヤは、ＩＰパケットのヘッダ圧縮、暗号化、完全性保護などを実現することができる。無線リンク制御（ＲＬＣ）レイヤは、論理チャネルを介して通信するためにパケットセグメンテーションおよびリアセンブリを実施し得る。媒体アクセス制御（ＭＡＣ）レイヤは、優先度処理と、論理チャネルのトランスポートチャネルへの多重化とを実施することができる。ＭＡＣレイヤはまた、リンク効率を改善するために、ＨＡＲＱを使用してＭＡＣレイヤにおける再送信を実現することができる。制御プレーンでは、無線リソース制御（ＲＲＣ）プロトコルレイヤは、ＵＥ１１５と基地局１０５との間のＲＲＣ接続の確立と構成と維持とを実現することができる。ＲＲＣプロトコルレイヤはまた、ユーザプレーンデータのための無線ベアラのコアネットワーク１３０のサポートに使用されてよい。物理（ＰＨＹ）レイヤにおいて、トランスポートチャネルは物理チャネルにマッピングされてよい。
【００３３】
[0039]ＵＥ１１５は、ワイヤレス通信システム１００全体にわたって分散されてよく、各ＵＥ１１５は固定またはモバイルであってよい。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含むか、またはそのように当業者によって呼ばれる場合もある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、エンターテインメントデバイス、車両構成要素などであってよい。ＵＥは、マクロｅＮＢ、スモールセルｅＮＢ、中継基地局などを含む、様々なタイプの基地局およびネットワーク機器と通信することが可能であってよい。
【００３４】
[0040]ワイヤレス通信システム１００に示されている通信リンク１２５は、ＵＥ１１５から基地局１０５へのＵＬ送信、または基地局１０５からＵＥ１１５へのダウンリンク（ＤＬ）送信を搬送することができる。ダウンリンク送信は順方向リンク送信と呼ばれることもあり、アップリンク送信は逆方向リンク送信と呼ばれることもある。各通信リンク１２５は１つまたは複数のキャリアを含んでよく、各キャリアは、上述された様々な無線技術に従って変調された複数のサブキャリア（たとえば、異なる周波数の波形信号）からなる信号であってよい。各変調信号は、異なるサブキャリア上で送られてよく、制御情報（たとえば、基準信号、制御チャネルなど）、オーバーヘッド情報、ユーザデータなどを搬送することができる。通信リンク１２５は、周波数分割複信（ＦＤＤ）動作（たとえば、対スペクトルリソースを使用して）または時分割複信（ＴＤＤ）動作を使用して（たとえば、不対スペクトルリソースを使用して）双方向通信を送信し得る。フレーム構造は、ＦＤＤ（たとえば、フレーム構造タイプ１）およびＴＤＤ（たとえば、フレーム構造タイプ２）に対して定義されてよい。
【００３５】
[0041]ワイヤレス通信システム１００の態様では、基地局１０５またはＵＥ１１５は、アンテナダイバーシティ方式を採用して基地局１０５とＵＥ１１５との間の通信品質および信頼性を改善するための複数のアンテナを含み得る。追加または代替として、基地局１０５またはＵＥ１１５は、マルチパス環境を利用して同じかまたは異なるコード化データを搬送する複数の空間レイヤを送信することができる、多入力多出力（ＭＩＭＯ）技法を利用することができる。
【００３６】
[0042]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれる場合もある。「キャリア」、「コンポーネントキャリア」、「セル」、および「チャネル」という用語は、本明細書では互換的に使用されることがある。ＵＥ１１５は、キャリアアグリゲーションのための、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３７】
[0043]ワイヤレス通信システム１００の態様では、基地局１０５のうちの１つまたは複数が、１つまたは複数のビーム管理イベントの出現を検出し、基地局１０５に報告するためのビーム管理イベント構成で１つまたは複数のＵＥを構成するためのビーム管理構成要素２４０を含み得る。この報告に基づいて、ある例では、基地局１０５は、１つまたは複数のＵＥ１１５向けにビーム構成を修正し得る。追加態様では、ＵＥ１１５は、構成中で定義された１つまたは複数のビーム管理イベントを検出するためのイベント検出構成要素３４０を含んでよく、この検出は、構成中で定義された１つまたは複数の閾値に関するビーム測定値の検出に対応し得る。
【００３８】
[0044]次に図２〜図７を参照すると、本明細書で説明するアクションまたは動作を実施することができる１つまたは複数の構成要素および１つまたは複数の方法に関して態様が示されており、破線中の態様は任意選択であってよい。図４〜図５において以下に記載される動作は、特定の順序で、および／または例示的な構成要素によって実施されるものとして提示されるが、アクションの順序付けおよびアクションを実施する構成要素は、実装形態に応じて変更されてよいことを理解されたい。その上、以下のアクション、機能、および／または記載される構成要素は、特別にプログラムされたプロセッサ、特別にプログラムされたソフトウェアを実行するプロセッサ、もしくはコンピュータ可読媒体により、または記載されるアクションもしくは機能を実施することが可能なハードウェア構成要素および／もしくはソフトウェア構成要素の任意の他の組合せによって実施されてよいことを理解されたい。
【００３９】
[0045]図２を参照すると、通信リンク１２５を介して基地局１０５と通信する複数のＵＥ１１５を有するワイヤレス通信システムの部分を含むブロック図２００が示されており、ここで基地局１０５は、ネットワーク２１０にも接続される。ＵＥ１１５は、１つまたは複数の基地局１０５への報告のためにビーム管理イベントを検出するように構成される、本開示において記載されるＵＥの例であり得る。その上、基地局１０５は、ＵＥ１１５においてビーム管理イベント報告を構成するように構成される、本開示において記載される基地局（たとえば、１つまたは複数のマクロセル、スモールセルなどを提供するｅＮＢ、ｇＮＢなど）の例であってよい。
【００４０】
[0046]ある態様では、図２の基地局は、本開示で提示する機能、方法（たとえば、図４の方法４００）を実施するためにビーム管理構成要素２４０と組み合わせて動作し得る１つもしくは複数のプロセッサ２０５、および／またはメモリ２０２を含み得る。本開示によると、ビーム管理構成要素２４０は、基地局１０５への報告のために１つもしくは複数のイベントを検出するために、送信されたビーム（たとえば、ビームフォーミング構成による、基準信号、同期信号、および／もしくは他のブロードキャスト信号／ビームとして送信された）を測定することに関連した１つもしくは複数のパラメータを示すビーム管理イベント構成を生成するための構成生成構成要素２４２、（たとえば、ＵＥ１１５において検出されたビーム管理イベントに基づき得る）１つもしくは複数のＵＥ１１５へ送信するためのビームフォーミングされた信号を生成するためのビームフォーミング構成要素２４４、ならびに／または（たとえば、ＵＥ１１５における）ビーム管理イベントの出現を検出し、および／もしくはしたがってビーム構成をＵＥ１１５向けに修正するためのイベント検出構成要素２４６を含み得る。
【００４１】
[0047]１つまたは複数のプロセッサ２０５は、１つまたは複数のモデムプロセッサを使用するモデム２２０を含んでよい。ビーム管理構成要素２４０および／またはその下位構成要素に関係する様々な機能は、モデム２２０および／またはプロセッサ２０５に含まれてよく、ある態様では、単一のプロセッサによって実行することができるが、他の態様では、それらの機能のうちの異なる機能が、２つ以上の異なるプロセッサの組合せによって実行されてよい。たとえば、ある態様では、１つまたは複数のプロセッサ２０５は、モデムプロセッサ、またはベースバンドプロセッサ、またはデジタル信号プロセッサ、または送信プロセッサ、またはトランシーバ２７０に関連するトランシーバプロセッサ、またはシステムオンチップ（ＳｏＣ）のうちの任意の１つまたは任意の組合せを含み得る。詳細には、１つまたは複数のプロセッサ２０５は、ビーム管理構成要素２４０に含まれる機能と構成要素とを実行することができる。別の例では、ビーム管理構成要素２４０は、ビーム管理イベント検出のためのパラメータを構成するために、物理レイヤ（たとえば、レイヤ１（Ｌ１））、媒体アクセス制御（ＭＡＣ）レイヤ（たとえば、レイヤ２（Ｌ２））、ＰＤＣＰレイヤまたはＲＬＣレイヤ（たとえば、レイヤ３（Ｌ３））などのような、１つまたは複数の通信レイヤにおいて動作することができる。
【００４２】
[0048]いくつかの例では、ビーム管理構成要素２４０および下位構成要素の各々は、ハードウェア、ファームウェア、および／またはソフトウェアを備えてよく、メモリ（たとえば、以下で説明されるメモリ２０２などのコンピュータ可読記憶媒体）に記憶された、コードを実行するか、または命令を実施するように構成されてよい。さらに、ある態様では、図２の基地局１０５は、たとえば、ＵＥ１１５への無線送信を受信および送信するための無線周波数（ＲＦ）フロントエンド２９０およびトランシーバ２７０を含み得る。トランシーバ２７０は、モデム２２０と協調して、ビーム管理構成要素２４０向けの信号を受信し、または構成要素２４０によって生成された信号をＵＥに送信することができる。ＲＦフロントエンド２９０は、１つまたは複数のアンテナ２７３に接続されてもよく、アップリンクチャネルおよびダウンリンクチャネルでＲＦ信号を送信および受信し、信号を送信および受信し、などをするために、１つまたは複数のスイッチ２９２と、１つまたは複数の増幅器（たとえば、電力増幅器（ＰＡ）２９４および／または低雑音増幅器２９１）と、１つまたは複数のフィルタ２９３とを含むことができる。ある態様では、ＲＦフロントエンド２９０の構成要素はトランシーバ２７０と接続することができる。トランシーバ２７０は、モデム２２０およびプロセッサ２０５のうちの１つまたは複数に接続してよい。
【００４３】
[0049]トランシーバ２７０は、ＲＦフロントエンド２９０を介してアンテナ２７３を通して、ワイヤレス信号を（送信機（ＴＸ）無線２７５を介して）送信し、（受信機（ＲＸ）無線２８０を介して）受信するように構成され得る。ある態様では、トランシーバ２７０は、基地局１０５が、たとえば、ＵＥ１１５と通信できるように、指定された周波数で動作するように調整され得る。ある態様では、たとえば、モデム２２０は、基地局１０５の構成、およびモデム２２０により使用される通信プロトコルに基づき、トランシーバ２７０を指定された周波数および電力レベルで動作するように構成することができる。
【００４４】
[0050]図２の基地局１０５は、本明細書で使用されるデータ、および／またはアプリケーションもしくはビーム管理構成要素２４０のローカルバージョン、および／またはプロセッサ２０５によって実行されているその下位構成要素のうちの１つもしくは複数を記憶するためなどのメモリ２０２をさらに含んでよい。メモリ２０２は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなどの、コンピュータまたはプロセッサ２０５によって使用可能な任意のタイプのコンピュータ可読媒体を含むことができる。ある態様では、たとえば、メモリ２０２は、ビーム管理構成要素２４０および／またはその下位構成要素のうちの１つもしくは複数を定義する１つまたは複数のコンピュータ実行可能コードを記憶するコンピュータ可読記憶媒体であってよい。追加または代替として、基地局１０５は、ＲＦフロントエンド２９０、トランシーバ２７４、メモリ２０２、またはプロセッサ２０５のうちの１つまたは複数を結合し、基地局１０５の構成要素および／または下位構成要素の各々の間でシグナリング情報を交換するためのバス２１１を含んでよい。
【００４５】
[0051]ある態様では、プロセッサ２０５は、図７の基地局との関連で記載されるプロセッサのうちの１つまたは複数に対応し得る。同様に、メモリ２０２は、図７の基地局との関連で記載されるメモリに対応し得る。
【００４６】
[0052]図３を参照すると、通信リンク１２５を介して基地局１０５と通信する複数のＵＥ１１５を有するワイヤレス通信システムの部分を含むブロック図３００が示されており、ここで基地局１０５は、ネットワーク２１０にも接続される。ＵＥ１１５は、１つまたは複数の基地局１０５への報告のためにビーム管理イベントを検出するように構成される、本開示において記載されるＵＥの例であり得る。その上、基地局１０５は、ＵＥ１１５においてビーム管理イベント報告を構成するように構成される、本開示において記載される基地局（たとえば、１つまたは複数のマクロセル、スモールセルなどを提供するｅＮＢ、ｇＮＢなど）の例であってよい。
【００４７】
[0053]ある態様では、図３のＵＥ１１５は、本開示で提示する機能、方法（たとえば、図５の方法５００）を実施するためにイベント検出構成要素３４０と組み合わせて動作し得る１つもしくは複数のプロセッサ３０５、および／またはメモリ３０２を含み得る。本開示によると、イベント検出構成要素３４０は、測定するべきビーム（たとえば、基準信号、同期信号、もしくは他のブロードキャスト信号／ビーム）の１つもしくは複数のタイプもしくは識別子など、ビーム管理イベントを検出するための１つもしくは複数のパラメータ、ビームを測定し、および／もしくはビーム測定などに基づいてイベントの出現を決定するためのパラメータを示すビーム管理イベント構成を（たとえば、１つもしくは複数の基地局１０５から）受信するための構成受信構成要素３４２、ならびに／または１つもしくは複数のビーム管理イベントの出現を決定するために、ビーム管理イベント構成に基づいて１つもしくは複数のビームを測定するためのビーム測定構成要素３４４を含み得る。
【００４８】
[0054]１つまたは複数のプロセッサ３０５は、１つまたは複数のモデムプロセッサを使用するモデム３２０を含むことができる。イベント検出構成要素３４０および／またはその下位構成要素に関係する様々な機能は、モデム３２０および／またはプロセッサ３０５に含まれてよく、ある態様では、単一のプロセッサによって実行され得るが、他の態様では、それらの機能のうちの異なる機能が、２つ以上の異なるプロセッサの組合せによって実行されてよい。たとえば、ある態様では、１つまたは複数のプロセッサ３０５は、モデムプロセッサ、またはベースバンドプロセッサ、またはデジタル信号プロセッサ、または送信プロセッサ、またはトランシーバ３７０に関連するトランシーバプロセッサ、またはシステムオンチップ（ＳｏＣ）のうちの任意の１つまたは任意の組合せを含み得る。詳細には、１つまたは複数のプロセッサ３０５は、イベント検出構成要素３４０に含まれる機能と構成要素とを実行することができる。別の例では、イベント検出構成要素３４０は、基準信号を測定し、および／または対応するビーム管理イベントを検出／報告するために、物理レイヤまたはＬ１、ＭＡＣレイヤまたはＬ２、ＰＤＣＰ／ＲＬＣレイヤまたはＬ３などのような、１つまたは複数の通信レイヤにおいて動作することができる。
【００４９】
[0055]いくつかの例では、イベント検出構成要素３４０および下位構成要素の各々は、ハードウェア、ファームウェア、および／またはソフトウェアを備えてもよく、メモリ（たとえば、以下で説明されるメモリ３０２などのコンピュータ可読記憶媒体）に記憶された、コードを実行するか、または命令を実施するように構成されてよい。さらに、ある態様では、図３のＵＥ１１５は、たとえば、基地局１０５への無線送信を受信および送信するためのＲＦフロントエンド３９０およびトランシーバ３７０を含み得る。トランシーバ３７０は、イベント検出構成要素３４０によって受信されるパケット（たとえば、および／または１つもしくは複数の関連ＰＤＵ）を含む信号を受信するように、モデム３２０と調整することができる。ＲＦフロントエンド３９０は、１つまたは複数のアンテナ３７３に接続されてよく、アップリンクチャネルおよびダウンリンクチャネルでＲＦ信号を送信および受信するために、１つまたは複数のスイッチ３９２、１つまたは複数の増幅器（たとえば、ＰＡ３９４および／またはＬＮＡ３９１）、ならびに１つまたは複数のフィルタ３９３を含むことができる。ある態様では、ＲＦフロントエンド３９０の構成要素はトランシーバ３７０と接続することができる。トランシーバ３７０は、モデム３２０およびプロセッサ３０５のうちの１つまたは複数に接続してよい。
【００５０】
[0056]トランシーバ３７０は、ＲＦフロントエンド３９０を介してアンテナ３７３を通して、ワイヤレス信号を（送信機（ＴＸ）無線３７５を介して）送信し、（受信機（ＲＸ）無線３８０を介して）受信するように構成され得る。ある態様では、トランシーバ３７０は、ＵＥ１１５が、たとえば、基地局１０５と通信できるように、指定された周波数で動作するように調整され得る。ある態様では、たとえば、モデム３２０は、ＵＥ１１５の構成、およびモデム３２０により使用される通信プロトコルに基づき、トランシーバ３７０を指定された周波数および電力レベルで動作するように構成することができる。
【００５１】
[0057]図３のＵＥ１１５は、本明細書で使用されるデータ、および／またはアプリケーションもしくはイベント検出構成要素３４０のローカルバージョン、および／またはプロセッサ３０５によって実行されているその下位構成要素のうちの１つもしくは複数を記憶するためなどのメモリ３０２をさらに含んでよい。メモリ３０２は、ＲＡＭ、ＲＯＭ、テープ、磁気ディスク、光ディスク、揮発性メモリ、不揮発性メモリ、およびそれらの任意の組合せなどの、コンピュータまたはプロセッサ３０５によって使用可能な任意のタイプのコンピュータ可読媒体を含むことができる。ある態様では、たとえば、メモリ３０２は、イベント検出構成要素３４０および／またはその下位構成要素のうちの１つもしくは複数を定義する１つまたは複数のコンピュータ実行可能コードを記憶するコンピュータ可読記憶媒体であってよい。追加または代替として、ＵＥ１１５は、ＲＦフロントエンド３９０、トランシーバ３７４、メモリ３０２、またはプロセッサ３０５のうちの１つまたは複数を結合し、ＵＥ１１５の構成要素および／または下位構成要素の各々の間でシグナリング情報を交換するためのバス３１１を含んでよい。
【００５２】
[0058]ある態様では、プロセッサ３０５は、図７のＵＥとの関連で記載されるプロセッサのうちの１つまたは複数に対応し得る。同様に、メモリ３０２は、図７のＵＥとの関連で記載されるメモリに対応し得る。
【００５３】
[0059]図４は、ノードがビーム管理イベントを検出し、報告するためのパラメータを（たとえば、基地局によって、および／またはビーム管理イベント構成を使うことによって）構成するための方法４００の例のフローチャートを示す。
【００５４】
[0060]ブロック４０２において、ビーム管理イベントのためのトリガ条件の出現を決定する際に測定するべき少なくとも１つのビームのタイプを示すビーム管理イベント構成が生成され得る。ある態様では、構成生成構成要素２４２が、たとえば、プロセッサ２０５、メモリ２０２、トランシーバ２７０、および／またはビーム管理構成要素２４０とともに、ビーム管理イベントのためのトリガ条件の出現を決定する際に測定するべき少なくとも１つのビームのタイプを示すビーム管理イベント構成を生成し得る。たとえば、ビーム管理構成要素２４０は、ＵＥ１１５がいくつかのビーム管理イベントを検出および／または報告することを可能にするようにパラメータを指定するためのビーム管理イベント構成を生成してよく、これは、ビーム管理イベント構成中で示されるタイプのビームを測定することを含み得る。たとえば、ビーム管理イベント構成は、測定するべき１つまたは複数のＲＳ、同期信号、他のブロードキャスト信号／ビームなどのタイプを示し得る。ビーム管理イベント構成は、示されるビームタイプのうちの１つまたは複数についての、測定されるべき１つまたは複数の信号の識別子も示し得る。
【００５５】
[0061]特定の例では、ビーム管理イベント構成は、基地局１０５がＵＥ１１５へのビーム送信を管理する目的のために、ＵＥ１１５ロケーション／チャネルの変化を追跡するための１つまたは複数のビーム管理イベントを定義することができ、ここで、ビーム管理イベントは、基地局１０５によって構成されたＣＳＩ−ＲＳまたはＮＲ−ＳＳに基づいてトリガされるように定義されてよい。一例では、ビーム管理イベント構成は、ビーム管理イベントが起こるかどうかを決定するために測定するべき１つまたは複数のタイプのブロードキャスト信号（たとえば、ＣＳＩ−ＲＳなどのＲＳ、ＮＲ−ＳＳなどのＳＳ、など）を示すためのビームタイプを指定し得る。たとえば、構成生成構成要素２４２は、（たとえば、測定するべき特定のＣＳＩ−ＲＳの識別子とともに）単一ＣＳＩ−ＲＳ、（たとえば、測定するべき特定のＮＲ−ＳＳの識別子とともに）単一ＮＲ−ＳＳ、グループに対する平均または最大測定などの関数の指示とともに、（たとえば、グループ内の関連付けられたＣＳＩ−ＲＳ識別子に別々にマッピングされてよい、グループの識別子をもつ）ＣＳＩ−ＲＳ測定のグループ、グループに対する平均または最大測定などの関数の指示とともに、（たとえば、グループ内の関連付けられたＮＲ−ＳＳ識別子に別々にマッピングされてよい、グループの識別子をもつ）ＮＲ−ＳＳ測定のグループ、グループに対する平均または最大測定などの関数の指示とともに、（たとえば、グループ内の関連付けられたＣＳＩ−ＲＳおよび／またはＮＲ−ＳＳ識別子に別々にマッピングされてよい、グループの識別子をもつ）ＣＳＩ−ＲＳおよびＮＲ−ＳＳ測定のグループ、などのビームタイプを示すための構成を生成することができる。
【００５６】
[0062]別の例では、構成生成構成要素２４２は、ＣＳＩ−ＲＳ−ＲＳＲＰ、ＳＳ−ＲＳＲＰ、または複合グループＲＳＲＰを含む基準信号受信電力（ＲＳＲＰ）、ＣＳＩ−ＲＳ−ＲＳＲＱ、ＳＳ−ＲＳＲＱ、または複合グループＲＳＲＱを含む基準信号受信品質（ＲＳＲＱ）、ＣＳＩ−ＲＳ−ＳＩＮＲ、ＳＳ−ＳＩＮＲ、または複合グループＳＩＮＲを含む信号対干渉雑音比（ＳＩＮＲ）などのような、測定するべき測定量の指示などの追加パラメータを含めるためのビーム管理イベント構成を生成し得る。別の例では、構成生成構成要素２４２は、（たとえば、イベントタイプに対する、各イベント、対応するビームタイプおよび／または測定量などのための）トリガ時間を含めるためのビーム管理イベント構成を生成することができ、ここで、トリガ時間は、イベントまたは対応する測定および／もしくは関連条件が、イベントの出現を報告する前に検出され得る時間期間を示す。別の例では、構成生成構成要素２４２は、本明細書においてさらに記載されるように、基準リソースなど、イベントを検出するための１つまたは複数のパラメータを含めるためのビーム管理イベント構成を生成し得る。別の例では、構成生成構成要素２４２は、ビームを監視するためのリソースのリストを含めるためのビーム管理イベント構成を生成することができ、これは、（たとえば、以前の構成と比較して）所与の構成中でいくつかのリソースを追加または削除することを含み得る。
【００５７】
[0063]特定の例では、ビーム管理イベントは、ビーム管理イベント構成の中のパラメータによって少なくとも部分的に定義され、ならびに／または場合によっては基地局１０５および／もしくはＵＥ１１５において知られているか、もしくはコーディングされてよく、以下と同様の１つまたは複数のイベントを含み得る。
【００５８】
・イベントＢＭ１：構成されたビームリソース（たとえば、ＲＳリソース）の測定が閾値よりも良好になるイベント。
【００５９】
・イベントＢＭ２：構成されたビームリソースの測定が基準リソースよりも優れたオフセットになるイベント。
【００６０】
・イベントＢＭ３：構成されたビームリソースの測定が、第１の閾値よりも優れたオフセットになるとともに基準リソースが第２の閾値よりも悪化するイベント。
記載されるように、ビーム管理イベント構成は、基地局１０５へのイベントの報告をトリガする前に、イベント条件が残る時間を示すための、イベントのうちの１つまたは複数についてのトリガ時間を指定し得る。さらに、たとえば、ビーム管理イベントは、対応するビームリソースの測定に基づいてトリガされてよく、ここで、測定は、Ｌ１フィルタリングの後の単一またはグループＮＲ−ＳＳ／ＣＳＩ−ＲＳ測定、Ｌ３フィルタリングの後の単一またはグループＮＲ−ＳＳ／ＣＳＩ−ＲＳ測定、などのうちの１つまたは複数に対応し得る。
【００６１】
[0064]ブロック４０４において、ビーム管理イベント構成は、１つまたは複数のノードへ送信され得る。ある態様では、ビーム管理構成要素２４０が、たとえば、プロセッサ２０５、メモリ２０２、トランシーバ２７０などとともに、ビーム管理イベント構成を１つまたは複数のノードへ送信し得る。たとえば、ビーム管理構成要素２４０は、システム情報（たとえば、１つもしくは複数のマスター情報ブロック（ＭＩＢ）、システム情報ブロック（ＳＩＢ）、またはブロードキャストチャネルを介して送信される他のデータ）、専用制御チャネルなどの中で構成をブロードキャストすることによって、ビーム管理イベント構成を１つまたは複数のＵＥ１１５へ送信することができる。一例では、ビーム管理構成要素２４０は、（たとえば、ＬＴＥ、５Ｇ  ＮＲなどにおいて定義されるように）ＳＩＢのＲｅｐｏｒｔＣｏｎｆｉｇコンテナ中で構成を送信することができる。
【００６２】
[0065]任意選択で、ブロック４０６において、１つまたは複数のビームフォーミングされた信号が、１つまたは複数のノードへ送信され得る。ある態様では、ビームフォーミング構成要素２４４が、たとえば、プロセッサ２０５、メモリ２０２、トランシーバ２７０、ビーム管理構成要素２４０などとともに、１つまたは複数のビームフォーミングされた信号を１つまたは複数のノードへ送信し得る。たとえば、ビームフォーミング構成要素２４４は、ＵＥ１１５に関連付けられていると識別された領域に向かって、指向性ビーム中で信号を送信するためのビームフォーミング行列に基づいて、１つまたは複数の信号をビームフォーミングすることができる。こうすることにより、ＵＥ１１５は、本明細書においてさらに記載されるように、ビームを検出し、１つまたは複数のビーム管理イベント条件がトリガされるかどうかを決定することができるようになり得る。さらに、記載されるように、ビームフォーミングされた信号は、ビーム信号を検出し、使用するための構成が（たとえば、本明細書においてさらに記載されるように、ビーム管理構成要素２４０によって）ＵＥ１１５に与えられ得る、ＮＲ−ＳＳ、ＣＳＩ−ＲＳ、他のＳＳまたはＲＳ、他のブロードキャスト信号／ビームなどであってよい。
【００６３】
[0066]ブロック４０８において、トリガ条件の指示が、１つまたは複数のノードから受信され得る。ある態様では、イベント検出構成要素２４６が、たとえば、プロセッサ２０５、メモリ２０２、トランシーバ２７０、ビーム管理構成要素２４０などとともに、１つまたは複数のノード（たとえば、１つまたは複数のＵＥ１１５）から、トリガ条件の指示を受信し得る。たとえば、本明細書においてさらに記載されるように、１つまたは複数のノードは、１つまたは複数のビーム管理イベントについてのトリガ条件の出現を決定するために、ビームの測定を比較したことに基づいて、トリガ条件を検出することができる。ＵＥ１１５は、本明細書においてさらに記載されるように、データチャネルを介した制御データまたはユーザプレーンデータなどとして、指示を、制御チャネルを介して基地局１０５へ送信してよい。特定の例では、指示は、イベントのトリガリングを引き起こしたビームの測定のＬ１測定報告を含み得る。たとえば、ビームが、上述したように、単一タイプのビーム（たとえば、ＣＳＩ−ＲＳまたはＮＲ−ＳＳ）に対応する場合、Ｌ１測定は、構成に依存してＬ１ＳＳ−ＲＳＲＰ／ＳＳ−ＲＳＲＱ／ＳＳ−ＳＩＮＲ、または構成に依存してＬ１ＣＳＩ−ＲＳ−ＲＳＲＰ／ＣＳＩ−ＲＳ−ＲＳＲＱ／ＣＳＩ−ＲＳ−ＳＩＮＲに対応し得る。ビームが、上述したように、１つまたは複数のマルチタイプであり得るビーム（たとえば、ＮＲ−ＳＳおよび／またはＣＳＩ−ＲＳ）のグループに対応する場合、指示は、グループ識別子、Ｌ１グループ複合品質（たとえば、構成に依存して、最大または平均ＲＳＲＰ／ＲＳＲＱ／ＳＩＮＲを示す１つの値）、最良のｘ個の信号リソースのインデックスおよび／または品質を含んでよく、ここで、ｘは、ネットワークによって構成されてよく、および／またはインデックスもしくは品質も構成されてよい。いずれのケースでも、報告は、非周期的、周期的、半永続的などであってよい。
【００６４】
[0067]ブロック４１０において、送信されたチャネルを推定する際に、１つまたは複数の送信されたビームを使用するためのビーム構成が、１つまたは複数のノードのために、およびトリガ条件の指示を受信したことに基づいて生成され得る。ある態様では、構成生成構成要素２４２が、たとえば、プロセッサ２０５、メモリ２０２、トランシーバ２７０、ビーム管理構成要素２４０、イベント検出構成要素２４６などとともに、１つまたは複数のノード（たとえば、ＵＥ１１５）のために、およびトリガ条件の指示を（たとえば、ＵＥ１１５から）受信したことに基づいて、送信されたチャネルを推定する際に１つまたは複数の送信されたビームを使用するためのビーム構成を生成し得る。たとえば、ビーム管理構成要素２４０は、トリガ条件の受信された指示に基づいて、ＵＥ１１５に関連するロケーション／チャネルを決定することができる。たとえば、記載されるように、指示は、ＵＥ１１５において受信された信号についての測定報告を含んでよく、受信された信号は、ビーム管理イベント構成中で識別された信号に対応し得る。ビーム管理構成要素２４０は、ある例では、ビームの報告された測定に基づいて、ＵＥ１１５についてのロケーションまたはチャネルを決定することができる。
【００６５】
[0068]本明細書に記載される態様によるワイヤレス通信システム６００の例を示す例が、図６に示される。システム６００は、複数の送信／受信ポイント（ＴＲｘＰ）６０７、６０９を提供し得るｇＮＢ６０５を含む。システム６００は、ＴＲｘＰ６０７、６０９のうちの１つまたは複数を介してｇＮＢ６０５と通信することができるＵＥ６１５も含む。ＴＲｘＰ６０７、６０９は各々、ＴＲｘＰからの方向に送信される複数のＣＳＩ−ＲＳビームを各々が含む複数のＣＳＩ−ＲＳセットを提供することができる。図示した例において、ＵＥ６１５は、ＴＲｘＰ６０７のＣＳＩ−ＲＳセット２からのＣＳＩ−ＲＳがＵＥ６１５に関連付けられているロケーションにおいて開始することができ、ここで、関連付けは、対応する受信されたＲＳの、ＵＥ６１５からの報告された測定（たとえば、ＣＳＩ−ＲＳ−ＲＳＲＰ、ＣＳＩ−ＲＳ−ＲＳＲＱ、ＣＳＩ−ＲＳ−ＳＩＮＲ、ＮＲ−ＳＳ−ＲＳＲＰ、ＮＲ−ＳＳ−ＲＳＲＱ、ＮＲ−ＳＳ−ＳＩＮＲなど）に基づいてよい。いずれの場合にも、ＵＥ６１５はＴＲｘＰ２  ６０９に向かって移動することができ、ＴＲｘＰ６０９のＣＳＩ−ＲＳセット３中のＣＳＩ−ＲＳは、ＴＲｘＰ６０７のＣＳＩ−ＲＳセット２のものよりも望ましくなり得る。ネットワークは従来、既存のセル固有イベントに基づいてＵＥロケーション／チャネルの変化に気づかない場合があり、ＣＳＩ−ＲＳリソース構成をビーム管理のために効果的に維持することができない場合があり、というのは、従来のネットワークでは、ネットワークは、すべての可能ＣＳＩ−ＲＳリソースをＵＥ向けに構成し、すべてのＣＳＩ−ＲＳについてのＵＥのＬ１報告に基づいて、ＵＥが使うために１つのＣＳＩ−ＲＳをアクティブ化すればよいからである。
【００６６】
[0069]したがって、本明細書に記載されるように、ＴＲｘＰ６０９のＣＳＩ−ＲＳセット３が、（たとえば、ＣＳＩ−ＲＳおよび／またはＮＲ−ＳＳビームの、対応する測定された信号強度に基づいて）ＴＲｘＰ６０７のＣＳＩ−ＲＳセット２のものよりも望ましくなる場合、このことは、ビーム管理イベント構成中で構成されるように、ビーム管理イベント（たとえば、ＢＭ１、ＢＭ２、またはＢＭ３）のトリガリングを引き起こし得る。したがって、たとえば、ＵＥ６１５は、トリガされたイベントの出現の指示をｇＮＢ６０５へ送信することができ、指示は、ＴＲｘＰ６０９のＣＳＩ−ＲＳセット３からのＣＳＩ−ＲＳの測定を含み得る。ｇＮＢ６０５はしたがって、ＵＥ６１５がＴＲｘＰ６０９のＣＳＩ−ＲＳセット３中のＣＳＩ−ＲＳを受信するための基準信号構成を生成すればよい。
【００６７】
[0070]他の例では、ＬＴＥにおけるＣ１および／またはＣ２手順が、可能性としてはビーム管理に使われてもよいが、これは、ＣＳＩ−ＲＳ用に対してのみ有効であってよく、ＬＴＥにおけるＣ１／Ｃ２イベントがＬ３イベントであるとき、Ｌ３測定のみを可能にしてよく、および／またはビームごとのイベント（たとえば、最大６４ＮＲ−ＳＳ）により大幅なオーバーヘッドを引き起こし得る。したがって、本明細書に記載されるように、ビーム管理イベントを定義することが望ましい場合がある。さらに、ＣＳＩ−ＲＳが図６の例に示されるが、本明細書に記載されるように、追加または代替のタイプのビームが使われてよい（たとえば、ＮＲ−ＳＳ、他のブロードキャスト信号／ビームなど）。
【００６８】
[0071]ブロック４１２において、ビーム構成は、１つまたは複数のノードへ送信され得る。ある態様では、ビーム管理構成要素２４０が、たとえば、プロセッサ２０５、メモリ２０２、トランシーバ２７０などとともに、ビーム構成を１つまたは複数のノード（たとえば、１つまたは複数のＵＥ１１５）へ送信し得る。たとえば、ビーム構成は、ＵＥ１１５が、（たとえば、ＴＲｘＰのＣＳＩ−ＲＳセット中の）ＣＳＩ−ＲＳなどのビームを取得し、測定し、測定されたビームをネットワークへの報告および／もしくは基地局１０５によって送信されるチャネルの推定に使い、ならびに／または関連付けられたチャネルフィードバックを提供することを可能にする構成に対応し得る。記載されるように、ある例では、ＵＥ１１５は、トリガ条件の指示を、検出されると、基地局１０５へ継続的に（たとえば、周期的に、非周期的に、半永続的に、など）送信することができ、これは、本明細書に記載されるように、ビーム構成の生成を引き起こし得る。
【００６９】
[0072]いくつかの例では、方法４００におけるブロックは、異なるネットワークノードによって実施されてよい。たとえば、あるノードが、ブロック４０２および４０４における機能を実施することによってＵＥを構成してよく、別のノードが、ブロック４０６において、ビームフォーミングされた信号を送信してよい。その上、異なるノードが、ブロック４０８において、トリガ条件の指示を受信し、ならびに／またはブロック４１０および４１２における機能を実施する、などをしてよい。
【００７０】
[0073]図５は、ビーム管理イベントのためのトリガ条件の指示を（たとえば、ＵＥによって）報告するための方法５００の例のフローチャートを示す。
【００７１】
[0074]方法５００では、ブロック５０２において、ビーム管理イベントのためのトリガ条件の出現を決定する際に測定するべき少なくとも１つのビームのタイプを示すビーム管理イベント構成が受信され得る。ある態様では、構成受信構成要素３４２が、たとえば、プロセッサ３０５、メモリ３０２、トランシーバ３７０、および／またはイベント検出構成要素３４０とともに、ビーム管理イベントのためのトリガ条件の出現を決定する際に測定するべき少なくとも１つのビームのタイプを示すビーム管理イベント構成を受信し得る。記載されるように、ビーム管理イベント構成は、測定するべきビームまたはビームのグループのタイプおよび／または識別子の指示、比較するべき測定値の指示、ＢＭ２用の基準リソース、トリガ時間などのような、ＵＥ１１５によって検出され、報告され得る１つまたは複数のビームイベント（たとえば、ＢＭ１、ＢＭ２、ＢＭ３）を定義する様々なパラメータを含み得る。ＵＥ１１５は、イベントの対応するトリガを検出するためのパラメータを、構成から取得することができる。さらに、たとえば、構成受信構成要素３４２）は、ビーム管理構成を、基地局１０５から（たとえば、ＭＩＢ、ＳＩＢなどのシステム情報により、専用制御チャネルにより、他のシグナリングにより）、メモリ３０２などから取得することができる。その上、記載されるように、構成中で定義されたビームは、１つまたは複数の基準信号（たとえば、ＣＳＩ−ＲＳ）、同期信号（たとえば、ＮＲ−ＳＳ）、他のブロードキャスト信号／ビームなどを含み得る。
【００７２】
[0075]ブロック５０４において、１つまたは複数のノードから受信された信号のパラメータが測定されてよく、ここで、信号は、少なくとも１つのビームのタイプに対応する。ある態様では、ビーム測定構成要素３４４が、たとえば、プロセッサ３０５、メモリ３０２、トランシーバ３７０、および／またはイベント検出構成要素３４０などとともに、１つまたは複数のノード（たとえば、基地局１０５、対応するＴＲｘＰなど）から受信された信号のパラメータを測定することができ、ここで、信号は、少なくとも１つのビームのタイプに対応する。記載されるように、たとえば、ビーム管理イベント構成は、ビームのタイプを示すことができ、ビーム測定構成要素３４４はしたがって、ビームのタイプを（たとえば、ビームのタイプに対応するリソースを決定し、ビーム中の情報に基づいてビームのタイプを検出したことなどに基づいて）測定することができる。さらに、ある例では、ビーム測定構成要素３４４は、ビーム管理イベント構成中で示される識別子に対応するビームを測定することができ、これは、識別子によって示される単一信号、識別子によって示される複数の信号、異なるタイプの信号（たとえば、ＣＳＩ−ＲＳ、ＮＲ−ＳＳなど）などを測定することを含み得る。別の例では、ビーム測定構成要素３４４は、ビーム管理イベント構成中で示されるグループ識別子に対応するビームを測定することができ、ここで、グループ識別子と、ビーム（たとえば、ＣＳＩ−ＲＳおよび／またはＮＲ−ＳＳ）の１つまたは複数の識別子との間のマッピングが、ＵＥ１１５において構成される。
【００７３】
[0076]ブロック５０６において、ビーム管理イベントのためのトリガ条件の出現が、信号のパラメータに基づいて決定され得る。ある態様では、イベント検出構成要素３４０が、たとえば、プロセッサ３０５、メモリ３０２、トランシーバ３７０などとともに、信号のパラメータに基づいて、ビーム管理イベントのためのトリガ条件の出現を決定することができる。たとえば、イベント検出構成要素３４０は、信号のパラメータが、１つまたは複数の他の値と比較して、ビーム管理イベント構成中で定義された１つまたは複数のイベントに対応するトリガ条件の出現を引き起こすと決定してよい。たとえば、イベント検出構成要素３４０は、信号のパラメータ（たとえば、ＣＳＩ−ＲＳ−ＲＳＲＰ、ＣＳＩ−ＲＳ−ＲＳＲＱ、ＣＳＩ−ＲＳ−ＳＩＮＲ、ＮＲ−ＳＳ−ＲＳＲＰ、ＮＲ−ＳＳ−ＲＳＲＱ、ＮＲ−ＳＳ−ＳＩＮＲなど）を、閾値（ＢＭ１イベント向け）と、基準リソース（たとえば、オフセットがＢＭ２イベント向けの閾値に達するかどうかを決定するため）、および／または両方（たとえば、ＢＭ３イベントにおいて）と比較したことに基づいて、トリガ条件の出現を決定することができる。その上、たとえば、イベント検出構成要素３４０は、イベントおよび／または対応するトリガ条件の出現を報告するかどうかを決定するために、イベント（ビーム管理イベント構成中で指定されてもよい）向けのトリガ時間に対応する時間期間に対して、トリガ条件の出現を決定することができる。
【００７４】
[0077]ブロック５０８において、トリガ条件の出現の指示が、１つまたは複数のノードあるいは異なるノードに報告されてよい。ある態様では、イベント検出構成要素３４０が、たとえば、プロセッサ３０５、メモリ３０２、トランシーバ３７０などとともに、１つまたは複数のノードあるいは異なるノード（たとえば、基地局１０５および／または他の基地局）へ、トリガ条件の出現の指示を報告し得る。たとえば、イベント検出構成要素３４０は、トリガ条件を引き起こした１つまたは複数の測定（たとえば、構成されたＣＳＩ−ＲＳ、ＮＲ−ＳＳ、および／または信号のグループのＣＳＩ−ＲＳ−ＲＳＲＰ、ＣＳＩ−ＲＳ−ＲＳＲＱ、ＣＳＩ−ＲＳ−ＳＩＮＲ、ＮＲ−ＳＳ−ＲＳＲＰ、ＮＲ−ＳＳ−ＲＳＲＱ、ＮＲ−ＳＳ−ＳＩＮＲなど）を含むトリガ条件の出現を報告することができる。たとえば、イベント検出構成要素３４０は、上述したように、ＮＲ−ＳＳまたはＣＳＩ−ＲＳ識別子およびＬ１測定、グループ識別子およびＬ１複合測定ならびに／または最良のｘ個の信号リソースのインデックスもしくは品質、などを含むように報告を構成したことができる。さらに、イベント検出構成要素３４０は、Ｌ３フィルタリングに基づいてアップリンクデータチャネル（たとえば、物理アップリンク共有チャネル（ＰＵＳＣＨ））を介して、Ｌ１フィルタリングに基づくＮＲにおけるロングまたはショートＰＵＣＣＨなどの制御チャネル（たとえば、物理アップリンク制御チャネル（ＰＵＣＣＨ）を介して、短い待ち時間（たとえば、１シンボル、２シンボル、またはスロット送信時間間隔（ＴＴＩ）など）をもつＰＵＳＣＨ上のアップリンク制御情報（ＵＣＩ）などを介して、報告を非周期的、周期的、半永続的、などで与えることができる。
【００７５】
[0078]任意選択で、ブロック５１０において、１つまたは複数のノードあるいは異なるノードと通信する際に、受信されたビームを使用するためのビーム構成が、指示を報告したことに基づいて受信され得る。ある態様では、構成受信構成要素３４２が、たとえば、プロセッサ３０５、メモリ３０２、トランシーバ３７０、イベント検出構成要素３４０などとともに、指示を報告したことに基づいて、受信されたビームを、１つまたは複数のノードあるいは異なるノードと通信する際に使用するためのビーム構成を受信し得る。ある例では、基地局１０５は、報告されたトリガ条件または対応するビーム管理イベントに基づいて、ビーム構成をＵＥ１１５向けに再構成してよく、条件またはイベントは、上述したように、異なるＣＳＩ−ＲＳセット（または他のビームセット）により接近した、ＵＥ１１５のロケーションの変化を示し得る。したがって、基地局１０５から受信されたビーム構成は、チャネルを推定し、チャネルフィードバックを決定する際などに使用するための、ＵＥ１１５の異なるＣＳＩ−ＲＳセット（または他のビームセット）を構成し得る。一例では、ビーム構成はＣＳＩ−ＲＳ構成に対応し得るが、ビーム管理構成は、ビーム管理イベントを検出するために、ＮＲ−ＳＳ、ＣＳＩ−ＲＳ、または両方を測定することに対応してよい。
【００７６】
[0079]一例では、基地局１０５は、オーバーヘッドを削減するために、ビーム管理イベントを検出する際にＮＲ−ＳＳ（ＣＳＩ−ＲＳまたは他のＲＳではなく）を測定するためのパラメータを示すように、ビーム管理イベント構成を構成し得る。この例では、構成生成構成要素２４２は、ＵＥ１１５が単一の、もしくはＮＲ−ＳＳのグループおよび／またはＮＲ−ＳＳとＣＳＩ−ＲＳとの間の関連付け（たとえば、擬似コロケーション（ＱＣＬ））を示すための構成を生成し得る。したがって、イベント検出構成要素２４６が、ＮＲ−ＳＳに基づいて、トリガされたビーム管理イベントを検出した場合、構成生成構成要素２４２は、ＮＲ−ＳＳとＣＳＩ−ＲＳとの間の関連付け（たとえば、ＱＣＬ）に対応する、ＣＳＩ−ＲＳの構成／再構成を生成してよい。
【００７７】
[0080]図７は、基地局１０５とＵＥ１１５とを含むＭＩＭＯ通信システム７００のブロック図である。ＭＩＭＯ通信システム７００は、図１を参照して記載されたワイヤレス通信システム１００の態様を示すことができる。基地局１０５は、図１〜図３を参照して記載された基地局１０５の態様の例であってよい。基地局１０５はアンテナ７３４および７３５を装備することができ、ＵＥ１１５はアンテナ７５２および７５３を装備することができる。ＭＩＭＯ通信システム７００では、基地局１０５は、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、基地局１０５が２つの「レイヤ」を送信する２×２のＭＩＭＯ通信システムでは、基地局１０５とＵＥ１１５との間の通信リンクのランクは２である。
【００７８】
[0081]基地局１０５において、送信（Ｔｘ）プロセッサ７２０は、データソースからデータを受信することができる。送信プロセッサ７２０はデータを処理することができる。送信プロセッサ７２０はまた、制御シンボルまたは基準シンボルを生成することができる。送信ＭＩＭＯプロセッサ７３０は、適用可能な場合、データシンボル、制御シンボル、または参照シンボルに対して空間処理（たとえば、プリコーディング）を実施することができ、送信変調器／復調器７３２および７３３に出力シンボルストリームを提供することができる。各変調器／復調器７３２〜７３３は、出力サンプルストリームを取得するために、（たとえば、ＯＦＤＭ用などの）それぞれの出力シンボルストリームを処理することができる。各変調器／復調器７３２〜７３３はさらに、ＤＬ信号を取得するために、出力サンプルストリームを処理（たとえば、アナログに変換、増幅、フィルタリング、およびアップコンバート）することができる。一例では、変調器／復調器７３２および７３３からのＤＬ信号は、それぞれ、アンテナ７３４および７３５を介して送信されてよい。
【００７９】
[0082]ＵＥ１１５は、図１〜図３を参照して記載されたＵＥ１１５の態様の例であってよい。ＵＥ１１５において、ＵＥアンテナ７５２および７５３は、基地局１０５からＤＬ信号を受信することができ、それぞれ、変調器／復調器７５４および７５５に受信された信号を提供することができる。各変調器／復調器７５４〜７５５は、入力サンプルを取得するために、それぞれの受信信号を調整（たとえば、フィルタリング、増幅、ダウンコンバート、およびデジタル化）することができる。各変調器／復調器７５４〜７５５はさらに、受信されたシンボルを取得するために、（たとえば、ＯＦＤＭ用などの）入力サンプルを処理することができる。ＭＩＭＯ検出器７５６は、変調器／復調器７５４および７５５から受信されたシンボルを取得し、適用可能な場合は受信されたシンボルに対してＭＩＭＯ検出を実施し、検出されたシンボルを与えることができる。受信（Ｒｘ）プロセッサ７５８は、検出されたシンボルを処理し（たとえば、復調し、デインターリーブし、および復号し）、ＵＥ１１５のための復号されたデータをデータ出力に提供し、復号された制御情報をプロセッサ７８０またはメモリ７８２に提供することができる。
【００８０】
[0083]プロセッサ７８０は、いくつかのケースでは、イベント検出構成要素３４０をインスタンス化するために記憶された命令を実行することができる（たとえば、図１および図３参照）。
【００８１】
[0084]アップリンク（ＵＬ）上で、ＵＥ１１５において、送信プロセッサ７６４は、データソースからデータを受信し処理することができる。送信プロセッサ７６４はまた、基準信号のための基準シンボルを生成することができる。送信プロセッサ７６４からのシンボルは、適用可能な場合、送信ＭＩＭＯプロセッサ７６６によってプリコードされ、（たとえば、ＳＣ−ＦＤＭＡ用などの）変調器／復調器７５４および７５５によってさらに処理され、基地局１０５から受信された通信パラメータに従って基地局１０５に送信されてよい。基地局１０５において、ＵＥ１１５からのＵＬ信号は、アンテナ７３４および７３５によって受信され、変調器／復調器７３２および７３３によって処理され、適用可能な場合、ＭＩＭＯ検出器７３６によって検出され、受信プロセッサ７３８によってさらに処理されてよい。受信プロセッサ７３８は、復号されたデータをデータ出力およびプロセッサ７４０またはメモリ７４２に与えることができる。
【００８２】
[0085]プロセッサ７４０は、いくつかのケースでは、ビーム管理構成要素２４０をインスタンス化するために記憶された命令を実行することができる（たとえば、図１および図２参照）。
【００８３】
[0086]ＵＥ１１５の構成要素は、ハードウェアにおいて適用可能な機能の一部または全部を実施するように適合された１つまたは複数のＡＳＩＣを用いて、個別にまたはまとめて実装されてよい。言及されたモジュールの各々は、ＭＩＭＯ通信システム７００の動作に関係する１つまたは複数の機能を実施するための手段であり得る。同様に、基地局１０５の構成要素は、個別にまたは集合的に、適用可能な機能の一部またはすべてをハードウェアで実施するように適合された１つまたは複数のＡＳＩＣを用いて実装され得る。言及された構成要素の各々は、ＭＩＭＯ通信システム７００の動作に関係する１つまたは複数の機能を実施するための手段であり得る。
【００８４】
[0087]添付の図面に関して上述された上記の発明を実施するための形態は、例を記載し、実装され得るかまたは特許請求の範囲内に入る例のみを表すとは限らない。「例」という語は、この説明において使用されるとき、「例、事例、または例示の働きをすること」を意味し、「好ましい」または「他の例よりも有利な」を意味しない。発明を実施するための形態は、記載された技法の理解を与える目的で具体的な詳細を含む。しかしながら、これらの技法は、これらの具体的な詳細なしに実践されてよい。いくつかの事例では、記載された例の概念を不明瞭にすることを回避するために、よく知られている構造および装置がブロック図の形態で示されている。
【００８５】
[0088]情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁気粒子、光場もしくは光学粒子、コンピュータ可読媒体に記憶されたコンピュータ実行可能なコードもしくは命令、またはそれらの任意の組合せによって表され得る。
【００８６】
[0089]本開示に関して説明した様々な例示的なブロックおよび構成要素は、限定はしないが、プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素などの特別にプログラムされたデバイス、または本明細書で説明した機能を実施するように設計されたそれらの任意の組合せを用いて実装または実施され得る。特別にプログラムされたプロセッサはマイクロプロセッサであってよいが、代替として、プロセッサは、任意の従来のプロセッサ、コントローラ、マイクロコントローラ、または状態機械であってよい。特別にプログラムされたプロセッサは、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成として実装されてもよい。
【００８７】
[0090]本明細書に記載された機能は、ハードウェア、プロセッサによって実行されるソフトウェア、ファームウェア、またはそれらの任意の組合せに実装されてよい。プロセッサによって実行されるソフトウェアに実装される場合、機能は、１つまたは複数の命令またはコードとして非一時的コンピュータ可読媒体に記憶されるか、または非一時的コンピュータ可読媒体を介して送信されてよい。他の例および実装形態は、本開示および添付の特許請求の範囲の範囲および趣旨内に入る。たとえば、ソフトウェアの本質により、上記述された機能は、特別にプログラムされたプロセッサによって実行されるソフトウェア、ハードウェア、ファームウェア、ハードワイヤリング、またはこれらのうちのいずれかの組合せを使用して実装することができる。機能を実装する特徴はまた、機能の部分が異なる物理的位置に実装されるように分散されることを含めて、様々な場所に物理的に配置されてよい。また、特許請求の範囲を含めて、本明細書で使用される「のうちの少なくとも１つ」で終わる項目のリスト内で使用される「または」は、たとえば、「Ａ、Ｂ、またはＣのうちの少なくとも１つ」のリストがＡまたはＢまたはＣまたはＡＢまたはＡＣまたはＢＣまたはＡＢＣ（すなわち、ＡおよびＢおよびＣ）を意味するような選言的リストを示す。
【００８８】
[0091]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の入手可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され汎用もしくは専用コンピュータ、もしくは汎用もしくは専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せもコンピュータ可読媒体の範囲内に含まれる。
【００８９】
[0092]本開示についての以上の説明は、当業者が本開示を作成または使用することができるように与えられる。本開示への様々な修正は当業者には容易に明らかになり、本明細書で定義された共通原理は、本開示の趣旨または範囲から逸脱することなく、他の変形形態に適用されてよい。さらに、説明する態様および／または実施形態の要素は、単数形で説明または特許請求されている場合があるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用されてよい。したがって、本開示は、本明細書に記載された例および設計に限定されるべきでなく、本明細書で開示された原理および新規の特徴に合致する最も広い範囲を与えられるべきである。
【図１】
2020535757.tif 000003
【図２】
2020535757.tif 000004
【図３】
2020535757.tif 000005
【図４】
2020535757.tif 000006
【図５】
2020535757.tif 000007
【図６】
2020535757.tif 000008
【図７】
2020535757.tif 000009
【国際調査報告】
2020535757.tif 000010
2020535757.tif 000011